(57)【特許請求の範囲】
【請求項１】
自己宛てに送信された情報を受信する受信手段と、
送信者を特定する情報を、当該送信者が所属するグループデータと前記受信手段により受信された情報に含まれるメッセージ情報とに対応付けて記憶する記憶手段と、
前記受信手段により受信された情報に含まれるメッセージ情報が、前記記憶手段にすでに記憶されているメッセージ情報と同一内容であるか否かを判断する第１の判断手段と、
前記受信手段により受信された情報に含まれる当該情報を送信した送信者を特定する情報を検出する検出手段と、
前記第１の判断手段により同一内容であると判断され、且つ前記検出手段により送信者を特定する情報が検出されると、この検出手段によって検出された送信者を特定する情報と、前記記憶手段に記憶されている前記同一内容のメッセージ情報に対応する送信者を特定する情報とから、前記同一内容のメッセージ情報を送信した送信者同士が共通のグループデータに対応付けられているか否かを判断する第２の判断手段と、
前記第２の判断手段により共通のグループデータに対応付けられていると判断されると報知処理を実行する報知手段と
を備えたことを特徴とする情報受信装置。
【請求項２】
前記報知手段は、さらに、前記受信手段により前記情報が受信された場合に報知処理を実行する手段と、
前記第２の判断手段により、前記共通のグループデータに対応付けられていると判断された場合と前記受信手段により前記情報が受信された場合とで前記報知手段による報知処理を変更する変更手段とを
さらに備えたことを特徴とする請求項１記載の情報受信装置。
【請求項３】
前記第１の判断手段により前記メッセージ情報が同一内容であると判断されると、そのメッセージ情報を送信した送信者が同一の送信者であるか否かを判断する第３の判断手段と、
前記報知手段は、さらに、前記第３の判断手段により同一の送信者であると判断されると報知処理を実行する手段と、
前記第２の判断手段により共通のグループデータに対応付けられていると判断された場合と、前記第３の判断手段により同一の送信者であると判断された場合とで前記報知手段による報知処理を変更する変更手段と
をさらに備えたことを特徴とする請求項１記載の情報受信装置。
【請求項４】
前記報知手段は前記報知処理に表示処理を含み、前記変更手段は前記表示処理を変更することを特徴とする請求項２又は３に記載の情報受信装置。
【請求項５】
前記報知処理は報知音の出力処理を含み、前記変更手段は前記報知音の出力処理を変更することを特徴とする請求項２又は３に記載の情報受信装置。
【請求項６】
自己宛てに送信された情報を受信する受信手段と、
送信者を特定する情報を当該送信者が所属するグループデータと対応付けて記憶する記憶手段と、
前記受信手段により受信された情報に含まれる、当該情報を送信した送信者を特定する情報を検出する検出手段と、
前記検出手段により送信者を特定する情報が検出されると、この検出手段によって検出された送信者を特定する情報と前記記憶手段に記憶されている送信者を特定する情報とにより、前記情報を送信した送信者同士が共通のグループデータに対応付けられているか否かを判断する判断手段と、
前記判断手段により共通のグループデータに対応付けられていると判断されると、報知処理を実行する報知手段と
を備えたことを特徴とする情報受信装置。
【請求項７】
自己宛てに送信された情報を受信する受信工程と、
前記受信工程により受信された情報に含まれるメッセージ情報が、送信者を特定する情報を当該送信者が所属するグループデータとすでに受信された情報に含まれるメッセージ情報とに対応付けて記憶したメモリに記憶されているメッセージ情報と同一内容であるか否かを判断する第１の判断工程と、
前記受信工程により受信された情報に含まれる、当該情報を送信した送信者を特定する情報を検出する検出工程と、
前記第１の判断工程により同一内容であるという判断され、且つ前記検出工程により送信者を特定する情報が検出されると、この検出工程によって検出された送信者を特定する情報と前記メモリに記憶されている同一内容のメッセージ情報に対応する送信者を特定する情報とにより、その同一内容のメッセージ情報を送信した送信者同士が共通のグループデータに対応付けられているか否かを判断する第２の判断工程と、
前記第２の判断工程により共通のグループデータに対応付けられていると判断されると報知処理を実行する報知工程と
からなることを特徴とする受信報知方法。
【請求項８】
自己宛てに送信された情報を受信する受信工程と、
前記受信工程により受信された情報に含まれる当該情報を送信した送信者を特定する情報を検出する検出工程と、
前記検出工程により送信者を特定する情報が検出されると、この検出工程によって検出された送信者を特定する情報と、予め送信者を特定する情報と当該送信者が所属するグループデータとが対応付けられて記憶されているメモリより、前記情報を送信した送信者同士が共通のグループデータに対応付けられているか否かを判断する判断工程と、
前記判断工程により共通のグループデータに対応付けられていると判断されると報知処理を実行する報知工程と
からなることを特徴とする受信報知方法。
【発明の詳細な説明】
【０００１】
【発明の属する技術分野】
本発明は、受信メッセージとその送信者との関連性に応じた報知を行う情報受信装置及び受信報知方法に関する。
【０００２】
【従来の技術】
従来、ページャー等のメッセージ受信装置は、基地局等から送られてくる無線電波によるデータを、その受信回路で受信し、受信データに基づいた表示内容を表示部に表示出力している。
【０００３】
このようなメッセージ受信装置では、メッセージが受信されると、その受信メッセージと内部メモリに記憶されている受信済みのメッセージとを比較して、その両メッセージが同一内容であった場合に、さらにその両メッセージの送信者が同一であれば、通常とは異なる報知方法で報知処理が実施される。
【０００４】
【発明が解決しようとする課題】
ところが、上述した従来例によるメッセージ受信装置は、同じ送信者から同一内容のメッセージが繰り返し送られてきた場合には通常とは異なる報知から送信者とそのメッセージとの関連性を容易に判断できるが、同一のグループに属している複数の送信者から同一内容のメッセージが重複して送られてきた場合には、送信者が異なっていることから、そのメッセージが同様の要件を表すものであっても別件として通常の報知が行われてしまうので、同一のグループに属している複数の送信者から同一内容のメッセージが送られてきても、その報知から送信者とそのメッセージとの関連性を判断するのは困難であるという問題があった。
【０００５】
本発明は、上述した従来例による課題を解消するため、複数のメッセージ受信があった場合に、送信者とそのメッセージとの関連性を判断し易い報知出力を実現することが可能な情報受信装置及び受信報知方法を提供することを目的とする。
【０００６】
【課題を解決するための手段】
請求項１記載の発明に係る情報受信装置は、
自己宛てに送信された情報を受信する受信手段と、
送信者を特定する情報を、当該送信者が所属するグループデータと前記受信手段により受信された情報に含まれるメッセージ情報とに対応付けて記憶する記憶手段と、
前記受信手段により受信された情報に含まれるメッセージ情報が、前記記憶手段にすでに記憶されているメッセージ情報と同一内容であるか否かを判断する第１の判断手段と、
前記受信手段により受信された情報に含まれる当該情報を送信した送信者を特定する情報を検出する検出手段と、
前記第１の判断手段により同一内容であると判断され、且つ前記検出手段により送信者を特定する情報が検出されると、この検出手段によって検出された送信者を特定する情報と、前記記憶手段に記憶されている前記同一内容のメッセージ情報に対応する送信者を特定する情報とから、前記同一内容のメッセージ情報を送信した送信者同士が共通のグループデータに対応付けられているか否かを判断する第２の判断手段と、
前記第２の判断手段により共通のグループデータに対応付けられていると判断されると報知処理を実行する報知手段と
を備える。
【０００７】
以上の構成によれば、受信手段は、自己宛ての情報を受信し、記憶手段は、送信者を特定する情報を、当該送信者が所属するグループデータと前記受信手段により受信された情報に含まれるメッセージ情報とに対応付けて記憶し、第１の判断手段は、受信手段により受信された情報に含まれるメッセージ情報が、記憶手段にすでに記憶されているメッセージ情報と同一内容であるか否かを判断し、検出手段は、受信手段により受信された情報に含まれる当該情報を送信した送信者を特定する情報を検出し、第２の判断手段は、第１の判断手段により同一内容であると判断され、且つ検出手段により送信者を特定する情報が検出されると、この検出手段によって検出された送信者を特定する情報と、記憶手段に記憶されている前記同一内容のメッセージ情報に対応する送信者を特定する情報とから、前記同一内容のメッセージ情報を送信した送信者同士が共通のグループデータに対応付けられているか否かを判断し、報知手段は、第２の判断手段により共通のグループデータに対応付けられていると判断されると報知処理を実行する。
【０００８】
従って、情報受信があった場合には、その受信された情報に含まれるメッセージと過去の受信済みメッセージとの同一性を判断し、過去に同一内容があった場合にその同一内容のメッセージをもつ送信者とのグループ関係をみて、報知するようにしたので、共通グループからの受信メッセージであることが報知により明らかとなって、複数の送信者から同一内容のメッセージが送られてきた場合に、同一グループからのメッセージであるか否かを容易に知らせることが可能になる。また、送信者を特定する情報とグループデータとを対応づけて記憶するようにしたので、同一内容の受信メッセージについて、送信者を特定する情報を基にして共通のグループに属しているか否かを容易に判断することが可能になる。
【０００９】
請求項２記載の発明に係る情報受信装置は、請求項１記載の発明において、
前記報知手段は、さらに、前記受信手段により前記情報が受信された場合に報知処理を実行する手段と、
前記第２の判断手段により、前記共通のグループデータに対応付けられていると判断された場合と前記受信手段により前記情報が受信された場合とで前記報知手段による報知処理を変更する変更手段とを
さらに備えたことを特徴とする。
【００１０】
以上の構成によれば、自己宛てのメッセージが通常通り受信された場合と、過去に受信されたメッセージと同一内容のメッセージが共通グループからのものであった場合とで報知を異なるようにしたので、共通グループからの受信メッセージであることが通常との報知の違いから明らかとなって、複数の送信者から同一内容のメッセージが送られてきた場合に、同一グループからのメッセージであるか否かを報知の違いで容易に知らせることが可能になる。
【００１１】
請求項３記載の発明に係る情報受信装置は、請求項１記載の発明において、
前記第１の判断手段により前記メッセージ情報が同一内容であると判断されると、そのメッセージ情報を送信した送信者が同一の送信者であるか否かを判断する第３の判断手段と、
前記報知手段は、さらに、前記第３の判断手段により同一の送信者であると判断されると報知処理を実行する手段と、
前記第２の判断手段により共通のグループデータに対応付けられていると判断された場合と、前記第３の判断手段により同一の送信者であると判断された場合とで前記報知手段による報知処理を変更する変更手段と
をさらに備えたことを特徴とする。
【００１２】
以上の構成において、第３の判断手段は、第１の判断手段によりメッセージ情報が同一の送信者であると判断されると、そのメッセージ情報を送信した送信者が同一の送信者であるか否かを判断し、報知手段においては、さらに、第３の判断手段により同一の送信者であると判断されると報知処理を実行し、変更手段は、第２の判断手段により共通のグループデータに対応付けられていると判断された場合と、第３の判断手段により同一の送信者であると判断された場合とで報知手段による報知処理を変更する。
【００１３】
従って、受信されたメッセージの送信者が過去に同一内容のメッセージを送信したものと同一か、共通グループかに応じて報知を異なるようにしても、送信者とその受信メッセージとの関連性が報知の違いから明らかとなって、同一内容のメッセージが複数送られてきた場合に、同一グループからのメッセージであるか、あるいは、同一送信者からのメッセージであるかを容易に知らせることが可能になる。
【００１４】
請求項４記載の発明に係る情報受信装置は、請求項２又は３に記載の発明において、
前記報知手段は前記報知処理に表示処理を含み、前記変更手段は前記表示処理を変更することを特徴とする。
【００１５】
以上の構成によれば、受信されたメッセージの送信者が過去に同一内容のメッセージを送信したものと同一か、共通グループかに応じて表示を異なるようにしても、送信者とその受信メッセージとの関連性が表示の違いから明らかとなる。
【００１６】
請求項５記載の発明に係る情報受信装置は、請求項２又は３に記載の発明において、
前記報知処理は報知音の出力処理を含み、前記変更手段は前記報知音の出力処理を変更することを特徴とする。
【００１７】
以上の構成によれば、受信されたメッセージの送信者が過去に同一内容のメッセージを送信したものと同一か、共通グループかに応じて報知音を異なるようにしても、送信者とその受信メッセージとの関連性が報知音の違いから明らかとなる。
【００１８】
請求項６記載の発明に係る情報受信装置は、
自己宛てに送信された情報を受信する受信手段と、
送信者を特定する情報を当該送信者が所属するグループデータと対応付けて記憶する記憶手段と、
前記受信手段により受信された情報に含まれる、当該情報を送信した送信者を特定する情報を検出する検出手段と、
前記検出手段により送信者を特定する情報が検出されると、この検出手段によって検出された送信者を特定する情報と前記記憶手段に記憶されている送信者を特定する情報とにより、前記情報を送信した送信者同士が共通のグループデータに対応付けられているか否かを判断する判断手段と、
前記判断手段により共通のグループデータに対応付けられていると判断されると、報知処理を実行する報知手段と
を備える。
【００１９】
以上の構成によれば、受信手段は、自己宛てに送信された情報を受信し、記憶手段は、送信者を特定する情報を当該送信者が所属するグループデータと対応付けて記憶し、検出手段は、受信手段により受信された情報に含まれる、当該情報を送信した送信者を特定する情報を検出し、判断手段は、検出手段により送信者を特定する情報が検出されると、この検出手段によって検出された送信者を特定する情報と前記記憶手段に記憶されている送信者を特定する情報とにより、前記報を送信した送信者同士が共通のグループデータに対応付けられているか否かを判断し、報知手段は、判断手段により共通のグループデータに対応付けられていると判断されると、報知処理を実行する。従って、情報受信があった場合には、送信者のグループ関係をみて、報知するようにしたので、共通グループからの受信メッセージであることが報知により明らかとなって、複数の送信者からメッセージが送られてきた場合に、同一グループからのメッセージであるか否かを容易に知らせることが可能になる。また、送信者を特定する情報とグループデータとを対応づけて記憶するようにしたので、受信メッセージについて、送信者を特定する情報を基にして共通のグループに属しているか否かを容易に判断することが可能になる。
【００２０】
請求項７記載の発明に係る受信報知方法は、
自己宛てに送信された情報を受信する受信工程と、
前記受信工程により受信された情報に含まれるメッセージ情報が、送信者を特定する情報を当該送信者が所属するグループデータとすでに受信された情報に含まれるメッセージ情報とに対応付けて記憶したメモリに記憶されているメッセージ情報と同一内容であるか否かを判断する第１の判断工程と、
前記受信工程により受信された情報に含まれる、当該情報を送信した送信者を特定する情報を検出する検出工程と、
前記第１の判断工程により同一内容であると判断され、且つ前記検出工程により送信者を特定する情報が検出されると、この検出工程によって検出された送信者を特定する情報と前記メモリに記憶されている同一内容のメッセージ情報に対応する送信者を特定する情報とにより、その同一内容のメッセージ情報を送信した送信者同士が共通のグループデータに対応付けられているか否かを判断する第２の判断工程と、
前記第２の判断工程により共通のグループデータに対応付けられていると判断されると報知処理を実行する報知工程と
からなることを特徴とする。
以上の構成によれば、請求項１に記載の発明と同様の効果を奏する。
【００２１】
請求項８記載の発明に係る受信報知方法は、
自己宛てに送信された情報を受信する受信工程と、
前記受信工程により受信された情報に含まれる当該情報を送信した送信者を特定する情報を検出する検出工程と、
前記検出工程により送信者を特定する情報が検出されると、この検出工程によって検出された送信者を特定する情報と、予め送信者を特定する情報と当該送信者が所属するグループデータとが対応付けられて記憶されているメモリより、前記情報を送信した送信者同士が共通のグループデータに対応付けられているか否かを判断する判断工程と、
前記判断工程により共通のグループデータに対応付けられていると判断されると報知処理を実行する報知工程と
からなることを特徴とする。
以上の構成によれば、請求項６に記載の発明と同様の効果を奏する。
【００２２】
【発明の実施の形態】
以下に添付図面を参照して、本発明に係る好適な実施の形態を詳細に説明する。
図１は本発明に係るメッセージ受信装置の一実施の形態であるページャーの内部構成を示すブロック図であり、図２は後述する氏名テーブル７１の内容を示す図であり、図３は後述する伝言メッセージテーブル７２の内容を示す図である。
【００２３】
図１に示したページャーは、例えば、ＣＰＵ１、アンテナ２、受信部３、デコーダ部４、ＩＤ−ＲＯＭ５、キー入力部６、ＲＯＭ７Ａ、ＲＡＭ７Ｂ、ダイアラバッファ８、ＤＴＭＦ（Dual Tone Multi-Frequency ）信号発生部９、アンプ（図１にはＡＭＰで示す）１０，１３，１６、スピーカ１１，１４、鳴音信号発生部１２、点滅パターン信号発生部１５、ＬＥＤ１７、キャラクタジェネレータ（図１にはＣＧで示す）１８、表示バッファ１９、及び表示部２０を具備している。
【００２４】
ＣＰＵ１は、ＲＯＭ７Ａに格納された各種プログラムに従ってページャー全体の動作を制御するものであり、図１に示した如く結合された各ユニットを制御信号で制御したり、データのリード／ライトを制御する。このＣＰＵ１は、本ページャーが具備する送受信機能により、図４及び図５の各フローチャートに従って送信処理、受信処理を実行する。
【００２５】
ＲＯＭ７Ａは、図４及び図５にそれぞれ示したフローチャートに従う制御プログラム、送受信処理に使用される各種パラメータ、後述の図３に示した伝言メッセージテーブル７２等を格納している。ＲＡＭ７Ｂは、後述の図２に示した氏名テーブル７１と、図示せぬが各種プログラムを実行させた際に使用するワークエリアとを具備している。
【００２６】
ＲＡＭ７Ｂにおいて、氏名テーブル７１は、図２に示したように、このページャーの所有者名データ、各名前に対応させて、その人が属するグループ名ひとつを示すグループ名データ、その人の電話番号データ、その人が所有しているページャーの識別番号を示す呼出番号データ、及び、図示せぬ受信／送信メッセージメモリエリアを登録しておくメモリであり、キー入力部６の操作によりその内容を追加、削除、または編集することができる。図２に示した氏名テーブル７１において、例えば、氏名「山田」データには、グループ名「スキーサークル」データ、電話番号「Ｔ１」データ、呼出番号「Ｃ１」データ、そして図示せぬ受信、送信メッセージデータが記憶されている。同様に、氏名「鈴木」データには、上記氏名「山田」と共通のグループ名「スキーサークル」データ、電話番号「Ｔ２」データ、呼出番号「Ｃ２」データ、そして図示せぬ送信、受信メッセージデータが記憶されている。また、氏名「佐藤」データには、上記氏名「山田」、「鈴木」とは異なるグループ名「テニスサークル」データ、電話番号「Ｔ３」データ、呼出番号「Ｃ３」データ、そして図示せぬ送信、受信メッセージデータが記憶されている。
【００２７】
ＲＯＭ７Ａにおいて、伝言メッセージテーブル７２は、図３に示したように、各伝言Ｎｏ．０１〜ｎ（ｎは自然数）に対応させて、伝言メッセージデータ、及び同一内容であるという判断基準を示す識別情報（ａ〜ｋ）を定型伝言メッセージとして登録しておくメモリである。例えば、伝言Ｎｏ．０１には、伝言メッセージ「集合」データが対応しており、これには識別情報ａが割り当てられている。また、伝言Ｎｏ．０２には、伝言メッセージ「集まれ」データが対応しており、これは、伝言Ｎｏ．０１の伝言メッセージ「集合」データとその内容が同一に値するとして、共通の識別情報ａが割り当てられる。同様に、伝言Ｎｏ．０４、Ｎｏ．０５についても、それぞれ、伝言メッセージ「信州」、「長野」のデータとなり、共通の識別情報ｃ，ｃが割り当てられる。
【００２８】
なお、本実施の形態を実現させるには、氏名テーブル７１及び伝言メッセージテーブル７２の各内容は、送受信関係にある相手先ページャーとの間で共通化しておくことを条件とする。また、上述した伝言メッセージテーブル７２はＲＯＭ７Ａに格納されるものとしたが、伝言メッセージテーブル７２の伝言Ｎｏ．ｎ＋１以降を使用者が追加、削除、編集できるようにしてもよく、この場合には、伝言Ｎｏ．ｎ＋１以降のテーブル部分をＲＡＭ７Ｂに設けるものとする。
【００２９】
アンテナ２は、図示せぬ送信基地局（サービスセンター）から無線で送信される変調波（アドレスデータ、メッセージデータ等）を受信して受信部３に出力する受信装置であり、受信部３は、デコーダ部４の制御に従って、ＩＤデータの内のフレームデータで設定された自己フレームのタイムスロットで間欠駆動し、アンテナ２に受信された信号を検波、復調して、デコーダ部４に出力する機能を有している。ＩＤ−ＲＯＭ５は、本ページャーに設定されたアドレスデータ、間欠受信タイミングを示すフレームデータ等のデータを登録するメモリである。デコーダ部４は、受信部３より入力した呼出番号データ（アドレスデータ）と、ＩＤ−ＲＯＭ５に登録されたアドレスデータとを照合して、一致の際には、ＣＰＵ１に一致信号を出力して、その受信動作を受信部３に対して継続させるように制御する機能を有している。キー入力部６は、ダイアラキー、テンキー、モードキー、セレクトキー、設定キー、電源スイッチ等を具備した操作入力装置であり、各種操作に伴う信号をＣＰＵ１に出力する。
【００３０】
ダイアラバッファ８は、ＤＴＭＦ信号を発生させるための呼出番号データと送信データとを一時記憶するメモリであり、これらデータをＣＰＵ１より供給される。ＤＴＭＦ信号発生部９は、ＣＰＵ１の制御に従い、ダイアラバッファ８に格納された呼出番号や送信データに対応したＤＴＭＦ信号を発生してアンプ１０に出力する。アンプ１０は、入力されたＤＴＭＦ信号を増幅して、スピーカ１１に出力し、スピーカ１１は、図示せぬ電話機等の端末の送話器に向かってアンプ１０から出力されたＤＴＭＦ信号を拡声出力する。このダイアラバッファ８、ＤＴＭＦ信号発生部９、及びアンプ１０により相手先ページャーを呼び出すための送信系の構成が得られる。
【００３１】
鳴音信号発生部１２は、ＣＰＵ１の制御に従い、ＣＰＵ１より駆動信号を受け取って鳴音信号を発生し、これをアンプ１３に出力する。アンプ１３は、鳴音信号発生部１２から出力された鳴音信号を増幅し、スピーカ１４に出力する。スピーカ１４は、増幅された鳴音信号に基づいて鳴音を拡声出力する。
【００３２】
点滅パターン信号発生部１５は、ＣＰＵ１の制御に従い、ＣＰＵ１より駆動信号を受け取って点滅パターン信号を発生し、これをアンプ１６に出力する。アンプ１６は、点滅パターン信号発生部１５から入力される点滅パターン信号を増幅して、発光素子であるＬＥＤ１７に出力する。ＬＥＤ１７は、増幅された点滅パターン信号に基づいて点滅駆動する。
【００３３】
キャラクタジェネレータ１８は、ＣＰＵ１から文字コードを受け取りキャラクタパターンを発生し、これを表示データとして表示バッファ２０に展開するものであり、表示バッファ１９は、ＣＰＵ１から図形等の表示データを入力したり、キャラクタジェネレータ１８から文字の表示データを入力してビットマップ展開し、これを表示部２０に出力する。表示部２０は、表示バッファ１９に格納された表示データに基づいて表示駆動し、文字（数字含む）、図形等の表示画像を形成する。この表示部２０として、例えば、ＬＣＤ（Liquid Crystal Display）、ＥＬ（Electro Luminescent）等の表示素子が好適である。
【００３４】
次に、動作について説明する。図４は本実施の形態による送信処理を説明するフローチャートであり、図５は本実施の形態による受信処理を説明するフローチャートである。そして、図６〜図８はメッセージ受信時の表示例を示す図である。
【００３５】
ページャー１が送信側端末として機能する場合には、図４に示したフローチャートのように、送信処理が実行される。なお、この送信処理の前処理として、電源投入後に、送信モードが選択されるものとする。
【００３６】
この送信モードに入ると、送信側ページャー１において、まず、送信メッセージ作成が開始される。これは、ステップＳ１において実行されるものであり、送信メッセージはキー入力部６のキー操作により作成され、その送信メッセージデータはＲＡＭ７Ｂに格納される。この送信メッセージ作成では、通常のページャーにおける作成動作と同様に、図３に示した伝言メッセージテーブル７２を用いて定型伝言メッセージを作成したり、図示せぬがＲＯＭ７Ａに設けたフリーワード変換テーブルを用いてフリーワード伝言メッセージを作成することが可能である。
【００３７】
このように、ステップＳ１において送信メッセージが作成されると、続くステップＳ２において、呼出番号が選択される。この呼出番号はキー入力部６のキー操作により氏名テーブル７１から選択され、その呼出番号を示す呼出番号データはダイアラバッファ８に一時格納される。
【００３８】
そして、続くステップＳ３においてダイアラキーのキー操作が検出されると、処理はステップＳ４に移行して、発呼処理が行われる。このダイアラキーの操作を行う際に、使用者は、図示せぬ電話機等の端末の送話器に向かってスピーカ１１を当てておき、そのスピーカ１１から拡声される呼出番号が送話器に集音できるようにセットする。ページャー１の内部においては、ダイアラキーのキー操作に応じてＤＴＭＦ信号発生部９では、ＣＰＵ１の制御に従い、ダイアラバッファ８に一時格納された呼出番号データを取り込んでＤＴＭＦ信号を発生し、これをアンプ１０及びスピーカ１１を介して拡声出力させる処理が実行される。この拡声は送話器に集音され、端末においてその音が電気信号に変換されその端末に接続される電話回線等を介して図示せぬページングシステムのサービスセンタに送られる。
【００３９】
この発呼処理（ステップＳ４）に対応してサービスセンタとの回線接続が確立すると、端末に対してガイダンス応答が行われる（ステップＳ５）。
【００４０】
この後、処理はステップＳ６に移行し、再びダイアラキーのキー操作の有無を判断する。ここで、ダイアラキーのキー操作が検出されると、処理はステップＳ７に移行する。このダイアラキーの操作を行う際にも、使用者は、図示せぬ電話機等の端末の送話器に向かってスピーカ１１を当てておき、そのスピーカ１１から拡声される送信データが送話器に集音できるようにセットする。ページャー１の内部においては、ダイアラキーのキー操作に応じて今度は予めキー操作により作成してＲＡＭ７Ｂの氏名テーブル７１に格納しておいた所有者名データが送信者名データとして読み出され、ダイアラバッファ８に一時格納される。ＤＴＭＦ信号発生部９では、ＣＰＵ１の制御に従い、ダイアラバッファ８に一時格納された送信者名データを取り込んでＤＴＭＦ信号を発生し、これをアンプ１０及びスピーカ１１を介して拡声出力させる処理が実行される。この拡声は送話器に集音され、端末においてその音が電気信号に変換されその端末に接続される電話回線等を介して図示せぬページングシステムのサービスセンタに送られる（ステップＳ７）。
【００４１】
続いて、上述した送信者名の場合と同様に、ステップＳ１で作成してＲＡＭ７Ｂに格納しておいた送信メッセージデータが読み出され、ダイアラバッファ８に一時格納される。ＤＴＭＦ信号発生部９では、ＣＰＵ１の制御に従い、ダイアラバッファ８に一時格納された送信メッセージデータを取り込んでＤＴＭＦ信号を発生し、これをアンプ１０及びスピーカ１１を介して拡声出力させる処理が実行される。この拡声は送話器に集音され、端末においてその音が電気信号に変換されその端末に接続される電話回線等を介して図示せぬページングシステムのサービスセンタに送られる（ステップＳ８）。
【００４２】
このように、送信者名と送信メッセージとがサービスセンタに送信されると、サービスセンタにおいて、その呼出番号を電波に変換してその呼出番号をもつ相手先ページャーを選択呼出しするとともに、送信者名と送信メッセージとが無線送信する。
【００４３】
ページャー１が送信側端末として機能していない場合には、通常、図５に示したフローチャートのように、受信待機状態となり、受信処理が実行されることになる。なお、この受信処理の前処理として、電源投入後に、送信モードが選択されていない状態とする。
【００４４】
受信側ページャー１では、着信待ち状態で着信が検出されると（ステップＳ２１、Ｓ２２）、通常通りメッセージ受信を行い、送信側ページャー１より送られてきた送信者名データと受信メッセージデータとをＲＡＭ７Ｂの空きデータバンクに格納する処理が行われる（ステップＳ２３）。この後、ステップＳ２４において、報知動作の継続時間をカウントするため、タイマを駆動させて時間の計測が開始される。
【００４５】
続くステップＳ２５において、メモリチェックとして、ＲＡＭ７Ｂの空きデータバンクに格納された受信メッセージデータと、過去に既に受信して氏名テーブル７１に格納済みの受信メッセージデータとの照合が行われる。その結果、受信メッセージデータと同一内容の受信メッセージデータが記憶されていなかった場合には（ステップＳ２６）、処理はステップＳ３２に移行し、通常通りに、ＬＥＤ１７を点滅表示させたり、スピーカ１４より鳴音出力したり、受信メッセージを表示することで、受信側ページャー１の所有者に対する着信報知が行われる。例えば、送信者名「佐藤」という人物から「新宿に集まれ」という伝言メッセージが送られてきた場合、図６に示したように、表示部２０に、受信メッセージ「新宿に集まれ」データに基づく伝言メッセージ「新宿に集まれ」ＭＳＧ１が表示され、その上段に、送信者名「佐藤」データに基づく送信者名「佐藤」１００と、その送信者名「佐藤」と同一の氏名「佐藤」に対応して氏名テーブル７１に記憶されているグループ名「テニスサークル」データに基づくグループ名「テニスサークル」２００とが表示される。
【００４６】
その結果、受信側ページャー１の所有者は、この表示部２０に表示された伝言メッセージ「新宿に集まれ」ＭＳＧ１、送信者名「佐藤」１００、及びグループ名「テニスサークル」２００から、会社の友人の佐藤氏から新宿に集まる旨の伝言が届いたということを確認することができる。
【００４７】
この通常の報知は継続して実施されるが、ステップＳ３０においてこの報知を停止させるキー操作が検出されたり、ステップＳ３６においてステップＳ２４で時間の計測が開始されてから一定時間の経過（タイムアップ）が確認されると、処理はステップＳ３０からはステップＳ３１に、ステップＳ３６からはステップＳ３７に移行して、いずれにおいても報知を停止して処理を終了する。
【００４８】
また、受信メッセージデータと同一内容の受信メッセージデータが記憶されていた場合には（ステップＳ２６）、処理はステップＳ２７に移行する。このステップＳ２７及びＳ２８では、ＲＡＭ７Ｂの空きデータバンクに格納された送信者名データを読み出し、氏名テーブル７１の名前欄を参照して、同一内容と判断された受信メッセージはともに同一の送信者が送信したものであるか否かの判断が下される。
【００４９】
ステップＳ２８において、同一送信者からの受信メッセージであることが確認された場合、処理はステップＳ２９に移行して、再受信があったことを報知する再受信処理を実行する。例えば、過去に送信者名「山田」という人物から「渋谷に集合」という伝言メッセージが受信されて、その名前「山田」データに対応させて受信メッセージ「渋谷に集合」データを格納済みであった場合、今回、再び「山田」という同一送信者から「渋谷に集まれ」という伝言メッセージが送られてくると、既に格納済みの受信メッセージ「渋谷に集合」データと今回受信された受信メッセージ「渋谷に集まれ」データとが、伝言メッセージテーブル７２の参照により、どちらも識別情報が「ａ」に相当すると判断される。これは、お互いに同一内容の伝言メッセージであるという関係になる。
【００５０】
したがって、ステップＳ２６において、今回の受信メッセージ「渋谷に集まれ」データと同一内容の受信メッセージ「渋谷に集合」データがあるという判断結果が得られ、続くステップＳ２７において、その同一内容をもつ受信メッセージ「渋谷に集合」データに対応する名前欄を調べると、送信者名「山田」データが得られ、その送信者名「山田」データと、今回の受信メッセージ「渋谷に集まれ」データに対応する送信者名「山田」データとは一致することから（ステップＳ２８）、同一送信者である「山田」という人物から再度同一内容の伝言メッセージが送られてきたという判断が下される。
【００５１】
このような場合には、上述したステップＳ２９による再受信処理が実行されることになり、同一送信者から同一内容の伝言が届いたとして、図７に示したように、表示部２０に、今回の伝言メッセージ「渋谷に集まれ」ＭＳＧ２が表示され、その上段に、再度送信してきた人物を示す送信者名「山田」１０１（送信者名「山田」データに基づくもの）、今回の受信が再受信（再呼出）であることを示す注意事項「再呼出」３００（予めＲＯＭ７Ａに格納されたデータに基づくもの）、及び再送信してきた人物の属するグループ名「スキーサークル」２０１（グループ名「スキーサークル」データに基づくもの）が表示される。
【００５２】
その結果、受信側ページャー１の所有者は、この表示部２０に表示された伝言メッセージ「渋谷に集まれ」ＭＳＧ２、送信者名「山田」１０１、注意事項「再呼出」及びグループ名「スキーサークル」２０１から、スキーサークルの山田氏から渋谷に集まる旨の伝言が、同一内容で、再度届いたということを確認することができる。
【００５３】
この同一内容の伝言、同一送信者での報知もまた継続して実施されるが、ステップＳ３０においてこの報知を停止させるキー操作が検出されたり、ステップＳ３６においてステップＳ２４で時間の計測が開始されてから一定時間の経過（タイムアップ）が確認されると、処理はステップＳ３０からはステップＳ３１に、ステップＳ３６からはステップＳ３７に移行して、いずれにおいても報知を停止して処理を終了する。
【００５４】
また、ステップＳ２８において、同一送信者からの受信メッセージでないことが確認された場合、処理はステップＳ３３に移行して、同一内容をもつ過去の受信メッセージを送信した送信者が今回の受信メッセージを送信した送信者と同一のグループであるか否かの判断が下される。そこで、例えば、図７に示したように、「山田」という人物から「渋谷に集まれ」という伝言メッセージが過去に届いており、その名前「山田」データに対応させて受信メッセージ「渋谷に集まれ」データを格納済みであった場合、今回、「山田」という送信者とは共通のグループに属している「鈴木」という人物から「渋谷に集合」という伝言メッセージが送られてくると、既に格納済みの受信メッセージ「渋谷に集まれ」データ（送信者名「山田」）と今回受信された受信メッセージ「渋谷に集合」データ（送信者名「鈴木」）とが、伝言メッセージテーブル７２の参照により、どちらも識別情報が「ａ」に相当すると判断される。これは、お互いに同一内容の伝言メッセージであるという関係になる。
【００５５】
したがって、ステップＳ２６において、今回の受信メッセージ「渋谷に集合」データと同一内容の受信メッセージ「渋谷に集まれ」データがあるという判断結果が得られ、続くステップＳ２７において、その同一内容をもつ受信メッセージ「渋谷に集まれ」データに対応する名前欄を調べると、送信者名「山田」データが得られ、その送信者名「山田」データと、今回の受信メッセージ「渋谷に集合」データに対応する送信者名「鈴木」データとは一致しないことから（ステップＳ２８）、別の送信者ではあるが、送信者名「山田」という人物に続いて送信者名「鈴木」という人物から再度同一内容の伝言メッセージが送られてきたという判断が下される。
【００５６】
このような場合には、上述したステップＳ３３でグループ名欄を調べることにより、「山田」と「鈴木」という人物は同一のグループに属しているという判断が下され、続くステップＳ３４による受信処理が実行されることになり、同一グループの送信者から同一内容の伝言が届いたとして、図８に示したように、表示部２０に、今回の伝言メッセージ「渋谷に集合」ＭＳＧ３が表示され、その上段に、前回同一内容の伝言メッセージ「渋谷に集まれ」ＭＳＧ２を送信してきた人物を示す送信者名「山田」１０１（送信者名「山田」データに基づくもの）、再度同一内容の伝言メッセージを送信してきた人物を示す送信者名「鈴木」１０２（送信者名「鈴木」データに基づくもの）、及び前回と今回の両人物の属する共通のグループ名「スキーサークル」２０１（グループ名「スキーサークル」データに基づくもの）が表示される。
【００５７】
その結果、受信側ページャー１の所有者は、この表示部２０に表示された伝言メッセージ「渋谷に集合」ＭＳＧ３、前回の送信者名「山田」１０１、今回の送信者名「鈴木」１０２、及び共通のグループ名「スキーサークル」２０１から、学校の友人の山田氏に続いて鈴木氏からも渋谷に集合する旨の伝言が、同一内容で、再度届いたということを確認することができる。
【００５８】
この同一内容の伝言、同一グループでの報知もまた継続して実施されるが、ステップＳ３０においてこの報知を停止させるキー操作が検出されたり、ステップＳ３６においてステップＳ２４で時間の計測が開始されてから一定時間の経過（タイムアップ）が確認されると、処理はステップＳ３０からはステップＳ３１に、ステップＳ３６からはステップＳ３７に移行して、いずれにおいても報知を停止して処理を終了する。
【００５９】
さて、ステップＳ２６で同一内容の受信メッセージの存在が確認されても、同一送信者からの受信メッセージではなく、かつ同一のグループからの受信メッセージではないという判断が下された場合には（ステップＳ２８、Ｓ３３）、処理はステップＳ３５に移行し、図６に示した通常の報知と同様に、伝言メッセージ、送信者名、及びグループ名が表示部２０に表示され、キー入力もしくはタイムアップに従って報知処理が終了制御される。
【００６０】
以上説明したように本実施の形態によれば、メッセージ受信があった場合には、その受信メッセージと過去の受信済みメッセージとの同一性を判断し、過去に同一内容があった場合にその同一内容のメッセージをもつ送信者とのグループ関係をみて、報知を変更するようにしたので、送信者とその受信メッセージとの関連性が報知の違いから明らかとなって、複数の送信者から同一内容のメッセージが送られてきた場合に、同一グループからのメッセージであるか否かを容易に知らせることが可能になる。
【００６１】
また、受信されたメッセージの送信者が過去に同一内容のメッセージを送信したものと同一か、共通グループかに応じて報知を異なるようにしても、送信者とその受信メッセージとの関連性が報知の違いから明らかとなる。
【００６２】
さて、図２に示した氏名テーブル７１においては、グループ名データについて、送信者はひとつのグループに属するものとしていたが、複数のグループに属するようにしてもよく、この場合には、グループ名データの欄に、複数のグループ名データを記憶させることになる。
【００６３】
また、図４に示した送信処理のステップＳ７では、送信者名を送信するようにしていたが、受信側において送信者名データと同様に送信元を特定できる情報であればよく、例えば、その送信者名データに代えて予めＲＡＭ７Ｂ等に登録しておいた自己の電話番号データを送信するようにしてもよい。この場合、受信側ページャー１の受信処理（図５参照）においては、ステップＳ２７で送信者名データに代わってその受信された電話番号データを基に図２に示した氏名テーブル７１から一致する電話番号を検索し、一致した電話番号に対応して記憶されているグループ名データを得るようにすればよい。
【００６４】
また、図４に示した送信処理のステップＳ７では、送信者名、あるいは、自己の電話番号とともに、ステップＳ２で選択された呼出番号に対応して氏名テーブル７１に記憶されているグループ名データを送信するようにしてもよい。この場合、受信側ページャー１の受信処理（図５参照）においては、ステップＳ３３でその受信されたグループ名データから直接グループの同一性を判断できることになって処理が簡略化され、受信側ページャー１においてグループ名を調べる必要が不要となる。
【００６５】
また、本実施の形態においては、定型伝言メッセージを受信する場合について説明したが、通常の文字データやフリーワードによるメッセージを受信し、同一内容の受信メッセージが記憶されているか否かを判断するようにしてもよい。
【００６６】
また、図５に示した受信処理において、前述の実施の形態では、過去に同一内容の伝言メッセージがなく新規の伝言メッセージであった場合、過去に同一内容の伝言メッセージがありその送信者が同一であった場合、過去に同一内容の伝言メッセージがありその送信者が属するグループとは共通のグループであった場合、それぞれ図６、図７、図８に示したように表示形態を変えての報知方法をとっていたが、その表示形態の変化に代わって報知音をそれぞれの場合に対応させて異なる音で区別するようにしてもよく、又は、表示形態の変化に対応して異なる報知音を出力するようにしてもよい。
【００６７】
また、本実施の形態においては、受信メッセージを送信者名と一致する名前データと対応させて記憶させる構成としたが、氏名テーブルとは関係なく単純に着信順に複数記憶させる構成としてもよい。
【００６８】
また、本実施の形態においては、同一内容のメッセージを送信した送信者が同一発呼者であるか否か、および同一グループであるか否かを判断するようにしたが、同一発呼者であるか否かという判断を行わずに、同一グループであるか否かという判断のみを行うようにしてもよい（この場合、図５のフローチャートにおいて、ステップＳ２７〜Ｓ２９を省略し、ステップＳ２６でイエス（ＹＥＳ）の場合、ステップＳ３３に進む）。
【００６９】
また、本実施の形態においては、メッセージの送信者が属するグループを固定にしたが、一時的なグループ（例えば、明日一緒に海へ行くグループ）の場合にも対応できるように、例えば、氏名テーブルのグループ名欄に代えてフラグ欄を設け、所有者の所定のキー操作によりフラグが立てられている人たちを同一グループとして判断できるようにしてもよい（他の方法として、単純にグループ名欄のグループ名を所有者の所定のキー操作により書き換え可能にしてもよい。）。
【００７０】
また、本実施の形態においては、本発明をページングシステムに適用した場合について説明したが、ネットワーク内のデータベースからの発呼者通知情報を受信するネットワークシステムに本発明を適用するようにしてもよい。
【００７１】
このように、受信されたメッセージの送信者が過去に同一内容のメッセージを送信したものと同一か、共通グループかに応じて表示や報知音を異なるようにしたので、送信者とその受信メッセージとの関連性が表示等の違いから明らかとなって、複数の送信者から同一内容のメッセージが送られてきた場合に、同一グループからのメッセージであるか否かを容易に知らせることが可能になる。
【００７２】
【発明の効果】
以上説明したように請求項１又は７記載の発明によれば、情報受信があった場合には、その受信された情報に含まれるメッセージと過去の受信済みメッセージとの同一性を判断し、過去に同一内容があった場合にその同一内容のメッセージをもつ送信者とのグループ関係をみて、報知するようにしたので、共通グループからの受信メッセージであることが報知により明らかとなって、複数の送信者から同一内容のメッセージが送られてきた場合に、同一グループからのメッセージであるか否かを容易に知らせることが可能な情報受信装置又は受信報知方法を得られるという効果を奏する。また、送信者を特定する情報とグループデータとを対応づけて記憶するようにしたので、同一内容の受信メッセージについて、送信者を特定する情報を基にして共通のグループに属しているか否かを容易に判断することが可能な情報受信装置又は受信報知方法を得られるという効果を奏する。
【００７３】
請求項２記載の発明によれば、請求項１記載の発明において、自己宛てのメッセージが通常通り受信された場合と、過去に受信されたメッセージと同一内容のメッセージが共通グループからのものであった場合とで報知を異なるようにしたので、共通グループからの受信メッセージであることが通常との報知の違いから明らかとなって、複数の送信者から同一内容のメッセージが送られてきた場合に、同一グループからのメッセージであるか否かを報知の違いで容易に知らせることが可能な情報受信装置を得られるという効果を奏する。
【００７４】
請求項３記載の発明によれば、請求項１記載の発明において、受信されたメッセージの送信者が過去に同一内容のメッセージを送信したものと同一か、共通グループかに応じて報知を異なるようにしても、送信者とその受信メッセージとの関連性が報知の違いから明らかとなって、同一内容のメッセージが複数送られてきた場合に、同一グループからのメッセージであるか、あるいは、同一送信者からのメッセージであるかを容易に知らせることが可能な情報受信装置を得られるという効果を奏する。
【００７５】
請求項４記載の発明によれば、請求項２又は３に記載の発明において、受信されたメッセージの送信者が過去に同一内容のメッセージを送信したものと同一か、共通グループかに応じて表示を異なるようにしても、送信者とその受信メッセージとの関連性を表示の違いから明らかにできる情報受信装置を得られるという効果を奏する。
【００７６】
請求項５記載の発明によれば、請求項２又は３に記載の発明において、受信されたメッセージの送信者が過去に同一内容のメッセージを送信したものと同一か、共通グループかに応じて報知音を異なるようにしても、送信者とその受信メッセージとの関連性を報知音の違いから明らかにできる情報受信装置を得られるという効果を奏する。
【００７７】
請求項６又は８記載の発明によれば、メッセージ受信があった場合には、送信者のグループ関係をみて、報知するようにしたので、共通グループからの受信メッセージであることが報知により明らかとなって、複数の送信者からメッセージが送られてきた場合に、同一グループからのメッセージであるか否かを容易に知らせることが可能な情報受信装置又は受信報知方法を得られるという効果を奏する。また、送信者を特定する情報とグループデータとを対応づけて記憶するようにしたので、受信メッセージについて、送信者を特定する情報を基にして共通のグループに属しているか否かを容易に判断することが可能な情報受信装置又は受信報知方法を得られるという効果を奏する。
【図面の簡単な説明】
【図１】本発明に係るメッセージ受信装置の一実施の形態を示すブロック図である。
【図２】本実施の形態による氏名テーブルの内容を示す図である。
【図３】本実施の形態による伝言メッセージテーブルの内容を示す図である。
【図４】本実施の形態による送信処理を説明するフローチャートである。
【図５】本実施の形態による受信処理を説明するフローチャートである。
【図６】本実施の形態によるメッセージ受信時の表示例を示す図である。
【図７】本実施の形態によるメッセージ受信時の他の表示例を示す図である。
【図８】本実施の形態によるメッセージ受信時の他の表示例を示す図である。
【符号の説明】
１      ＣＰＵ
２      アンテナ
３      受信部
４      デコーダ部
５      ＩＤ−ＲＯＭ
６      キー入力部
７Ａ    ＲＯＭ
７Ｂ    ＲＡＭ
８      ダイアラバッファ
９      ＤＴＭＦ信号発生部
１０，１３，１６    アンプ
１１，１４          スピーカ
１２    鳴音信号発生部
１５    点滅パターン信号発生部
１７    ＬＥＤ
１８    キャラクタジェネレータ
１９    表示バッファ
２０    表示部
【図１】
0003765121.tif 000002
【図２】
0003765121.tif 000003
【図３】
0003765121.tif 000004
【図４】
0003765121.tif 000005
【図５】
0003765121.tif 000006
【図６】
0003765121.tif 000007
【図７】
0003765121.tif 000008
【図８】
0003765121.tif 000009